(57)【要約】【課題】  ３波長互換対物レンズを搭載した光ディスク装置において、対物レンズを対物レンズと衝突せず、確実に、光ディスクを判別する判別方法を提供する。【解決手段】  ３つの波長の異なるレーザ光を選択的に、３波長互換対物レンズ３１を介して、光ディスク１の情報記録面ＲＤに照射して情報を記録又は再生する光ディスク装置において、装置に装填された光ディスクの種類を判別する光ディスク判別方法は、装填された光ディスクに対し、レーザ光を情報記録面に合焦した時の対物レンズの位置と光ディスクのディスク表面ＤＲとの間の距離が大きい光ディスクの順に、レーザ光を用いてフォーカススイープを行い、得られる反射光から、光ディスクのディクス面ＤＳと情報記録面ＲＳにおける反射の間の時間を検出し、もって、検出された反射間の時間に基づいて、光ディスクの種類を判別する。【選択図】  図７
2007095130.tif 000002
【特許請求の範囲】
【請求項１】
複数の波長の異なるレーザ光の発光源からの光を選択的に、共通の対物レンズを介して、光ディスクの情報記録面に照射して、当該光ディスクに対して情報を記録又は再生する光ディスク装置において、当該光ディスク装置に装填された光ディスクの種類を判別する光ディスク判別方法であって、
当該光ディスク装置に装填された光ディスクに対し、前記発光源からのレーザ光を用い、前記対物レンズを介してフォーカススイープを行い；
前記フォーカススイープの結果得られる反射光から、当該光ディスクのディクス面と前記情報記録面における反射の間の時間を検出し；もって、
前記検出された反射間の時間に基づいて、当該光ディスク装置に装填された光ディスクの種類を判別することを特徴とする光ディスク判別方法。
【請求項２】
前記請求項１に記載した光ディスク判別方法において、前記フォーカススイープを行う際、前記発光源からのレーザ光を前記対物レンズによってその情報記録面に合焦した際における当該対物レンズの位置と、当該装填された光ディスクのディスク表面との間の距離が大きい光ディスクの順に、当該光ディスク装置に装填された光ディスクの種類の判別を実行することを特徴とする光ディスク判別方法。
【請求項３】
前記請求項２に記載の光ディスク判別方法において、前記光ディスク装置に装填された光ディスクは、少なくとも、ＣＤ、ＤＶＤ、次世代ＤＶＤを含むことを特徴とする光ディスク判別方法。
【請求項４】
前記請求項３に記載の光ディスク判別方法において、次世代ＤＶＤ、ＤＶＤの順に、当該光ディスク装置に装填された光ディスクの種類の判別を実行することを特徴とする光ディスク判別方法。
【請求項５】
前記請求項４に記載の光ディスク判別方法において、当該光ディスク装置に装填された光ディスクの種類の判別を、前記次世代ＤＶＤ、ＤＶＤの順に実行する際、４０５ｎｍ波長のレーザ光、６５０ｎｍ波長のレーザ光を使用して行なうことを特徴とする光ディスク判別方法。
【請求項６】
前記請求項３に記載の光ディスク判別方法において、前記次世代ＤＶＤ、ＤＶＤの順に当該光ディスク装置に装填された光ディスクの種類の判別を実行した後、更に、７８０ｎｍ波長のレーザ光を用いて、当該光ディスク装置に装填された光ディスクがＣＤであることの判別を行なうことを特徴とする光ディスク判別方法。
【請求項７】
発光源からの複数の波長の異なるレーザ光を選択的に、共通の対物レンズを介して、光ディスクの情報記録面に照射して、当該光ディスクに対して情報を記録又は再生する光ディスク装置であって、更に、
当該光ディスク装置に装填された光ディスクに対して前記発光源からのレーザ光を用いて前記対物レンズを介してフォーカススイープを行って、当該光ディスクのディクス面と前記情報記録面における反射の間の時間を検出し、検出された反射間の時間に基づいて、当該光ディスク装置に装填された光ディスクの種類を判別する手段を備えていることを特徴とする光ディスク装置。
【請求項８】
前記請求項７に記載の光ディスク装置において、前記光ディスクの種類を判別する手段は、前記発光源からのレーザ光を前記対物レンズによってその情報記録面に合焦した際における当該対物レンズの位置と当該装填された光ディスクのディスク表面との間の距離が大きい光ディスクの順に、判別することを特徴とする光ディスク装置。
【請求項９】
前記請求項８に記載の光ディスク装置において、複数の波長の異なるレーザ光を発生するための前記発光源は、４０５ｎｍ波長のレーザ光、６５０ｎｍ波長のレーザ光、７８０ｎｍ波長のレーザ光を発生すること可能であることを特徴とする光ディスク装置。
【請求項１０】
前記請求項８に記載の光ディスク装置において、前記光ディスク装置に装填された光ディスクは、少なくとも、ＣＤ、ＤＶＤ、次世代ＤＶＤを含んでおり、かつ、前記光ディスクの種類を判別する手段は、少なくとも、前記次世代ＤＶＤ、ＤＶＤの順に、当該光ディスク装置に装填された光ディスクの種類の判別することを特徴とする光ディスク装置。
【発明の詳細な説明】
【技術分野】
【０００１】
本発明は、それぞれ波長の異なるレーザ光により、ＣＤ、ＤＶＤ（登録商標）、更には、次世代ＤＶＤを含め、各種の光ディスクを再生可能な光ディスク装置に関し、特に、かかる装置において、装填された光ディスクの種類を判定するための光ディスク判別方法と、更には、かかる方法を利用した光ディスク装置に関する。
【背景技術】
【０００２】
円板状の光情報記録媒体である光ディスクは、非接触、大容量かつ低コストで、高速にデータアクセスを可能とする情報記録媒体として、例えば、デジタルオーディオデータやデジタル動画データの記録／再生、更には、パーソナルコンピュータのデータ記録媒体として、幅広く利用されており、特に、近年においては、書き換えが可能で、かつ、大容量の光ディスクとして、所謂、次世代ＤＶＤ（所謂、ブルーレイ・ディスク（ＢＤ（登録商標））やＨＤ−ＤＶＤ（登録商標）等）が提案されている。これに伴い、かかる各種の情報記録媒体に対しても情報を記録・再生することが可能な光ディスク装置が望まれており、その場合、装置に装填される光ディスクを確実に判別することが必要となる。
【０００３】
例えば、以下の特許文献１によれば、各種のＣＤやＤＶＤに加え、青色または青紫光の光ビームを使用してアクセスする高密度の光ディスクをも含めた各種の光ディスクに対し、夫々に対応した独立の対物レンズを有する３波長対応光ディスク装置が提案されている。なお、この従来技術は、装置に装着される光ディスクを確実に判別するため、最初に、対物レンズの焦点距離が最も長く、かつ、対物レンズとディスク面間の距離を最も大きく確保できるＣＤ対応のレーザ光（７８０ｎｍ波長レーザ光）を用いて、フォーカスエラー信号のＳ字波形からディスク判別を行う方法を開示する。
【０００４】
また、例えば、以下の特許文献２では、３波長対応の光ヘッドに搭載される球面収差発生部（ビームエキスパンダ）を用いて、フォーカスエラー信号のＳ字波形と反射光量との対称性から、ディスク判別を行う方法を開示する。
【０００５】
加えて、例えば、以下の特許文献３では、ＣＤ用のレーザダイオードからのレーザ光を光ディスクに照射し、その結果、各種の（ＣＤ、ＤＶＤ、ＨＤ−ＤＶＤ用の）フォトディテクタを用いて反射光を検出し、それらの検出結果に基づいて、装填された光ディスクの判別を行う方法を開示する。
【０００６】
【特許文献１】特開２００４−３１１００４号公報
【特許文献２】特開２００４−１１１０２８号公報
【特許文献３】特開２００４−１５２４５２号公報
【発明の開示】
【発明が解決しようとする課題】
【０００７】
ところで、上述した各種の光ディスクに対し、夫々に対応した波長のレーザ光により情報の記録／再生を行なうことの可能な、３波長対応可能な光ディスク装置では、装置の小型化を達成するため、当該光ディスク装置に搭載する光ヘッドの小型化を実現することが強く求められており、かかる要求を実現するための手段として、所謂、３波長波長互換対物レンズが既に知られており、また、現在、実用段階に入って来ている。
【０００８】
なお、この３波長互換対物レンズは、従来のＢＤ対応対物レンズとＤＶＤ、ＣＤ互換レンズとの組合せに比較して、各レーザ光の波長（ＣＤ用のレーザ光（波長：７８０ｎｍ）、ＤＶＤ用のレーザ光（波長：６５０ｎｍ）、次世代ＤＶＤ用のレーザ光（波長：４０５ｎｍ））に対して、その焦点距離が大きく異なっている。
【０００９】
このように、光ヘッドの小型化を実現することを可能とする３波長波長互換対物レンズは、各波長の焦点距離が大きく異なっており、そのため、この３波長波長互換対物レンズを光ディスク装置に採用した場合、特に、当該装置に光ディスクを装填した際に行われるディスク判別において、対物レンズが光ディスクと衝突してしまうと言う問題があった。
【００１０】
より具体的には、３波長互換対物レンズを搭載した光ディスク装置では、ディスク情報記録面に合焦した場合の対物レンズとディスク表面の距離は、波長４０５ｎｍのレーザ光に対して約０.７ｍｍ、波長７８０ｎｍのレーザ光に対して約０.２ｍｍとなっており、即ち、上述した従来技術（特許文献１や２）に比較して逆転しており、そのため、３波長波長互換対物レンズを採用した光ディスク装置においては、上記従来技術に開示されたディスク判別方法では対物レンズと光ディスクの衝突を回避することが困難であり、かかる対物レンズと光ディスクの衝突の回避に関する新たな課題が生じている。
【００１１】
また、以下でも述べるが、上述した従来技術（特許文献３）のように、ＣＤ用のレーザ光を用いて判別しようとする場合，分解能が低いために、ＢＤの情報記録面での反射と、その表面での反射とが区別できず、種別の判別が正しく行えない可能性があった。
【００１２】
そこで、本発明では、上述した従来技術における問題点に鑑みてなされたものであり、上述した３波長互換対物レンズを搭載した光ディスク装置においても、対物レンズとの間で衝突することなく、装置に装填される光ディスクを、確実に、判別することを可能とする光ディスク判別方法を提供し、更には、かかる方法を利用した光ディスク装置を提供することを目的とする。
【課題を解決するための手段】
【００１３】
上記の目的を達成するため、本発明によれば、まず、複数の波長の異なるレーザ光の発光源からの光を選択的に、共通の対物レンズを介して、光ディスクの情報記録面に照射して、当該光ディスクに対して情報を記録又は再生する光ディスク装置において、当該光ディスク装置に装填された光ディスクの種類を判別する光ディスク判別方法であって、当該光ディスク装置に装填された光ディスクに対し、前記発光源からのレーザ光を用い、前記対物レンズを介してフォーカススイープを行い；前記フォーカススイープの結果得られる反射光から、当該光ディスクのディクス面と前記情報記録面における反射の間の時間を検出し；もって、前記検出された反射間の時間に基づいて、当該光ディスク装置に装填された光ディスクの種類を判別する光ディスク判別方法が提供される。
【００１４】
なお、本発明では、前記に記載した光ディスク判別方法において、前記フォーカススイープを行う際、前記発光源からのレーザ光を前記対物レンズによってその情報記録面に合焦した際における当該対物レンズの位置と、当該装填された光ディスクのディスク表面との間の距離が大きい光ディスクの順に、当該光ディスク装置に装填された光ディスクの種類の判別を実行することが好ましく、特に、前記光ディスク装置に装填された光ディスクは、少なくとも、ＣＤ、ＤＶＤ、次世代ＤＶＤを含んでいる。その場合、特に、次世代ＤＶＤ、ＤＶＤの順に、当該光ディスク装置に装填された光ディスクの種類の判別を実行することが好ましく、その際、４０５ｎｍ波長のレーザ光、６５０ｎｍ波長のレーザ光を使用して行なうことが好ましい。その後、更に、７８０ｎｍ波長のレーザ光を用いて、当該光ディスク装置に装填された光ディスクがＣＤであることの判別を行なうことが好ましい。
【００１５】
また、本発明によれば、やはり上記の目的を達成するため、発光源からの複数の波長の異なるレーザ光を選択的に、共通の対物レンズを介して、光ディスクの情報記録面に照射して、当該光ディスクに対して情報を記録又は再生する光ディスク装置であって、更に、当該光ディスク装置に装填された光ディスクに対して前記発光源からのレーザ光を用いて前記対物レンズを介してフォーカススイープを行って、当該光ディスクのディクス面と前記情報記録面における反射の間の時間を検出し、検出された反射間の時間に基づいて、当該光ディスク装置に装填された光ディスクの種類を判別する手段を備えている光ディスク装置が提供される。
【００１６】
なお、本発明では、前記に記載の光ディスク装置において、前記光ディスクの種類を判別する手段は、前記発光源からのレーザ光を前記対物レンズによってその情報記録面に合焦した際における当該対物レンズの位置と当該装填された光ディスクのディスク表面との間の距離が大きい光ディスクの順に、判別することが好ましく、また、複数の波長の異なるレーザ光を発生するための前記発光源は、４０５ｎｍ波長のレーザ光、６５０ｎｍ波長のレーザ光、７８０ｎｍ波長のレーザ光を発生すること可能であることが好ましい。そして、本発明では、前記に記載の光ディスク装置において、前記光ディスク装置に装填された光ディスクは、少なくとも、ＣＤ、ＤＶＤ、次世代ＤＶＤを含んでおり、かつ、前記光ディスクの種類を判別する手段は、少なくとも、前記次世代ＤＶＤ、ＤＶＤの順に、当該光ディスク装置に装填された光ディスクの種類の判別する。
【発明の効果】
【００１７】
以上にも述べたように、本発明によれば、ディスク表面での反射光から情報記録面の反射光を観測するまでの時間により、装填された光ディスクの種別を判定することを可能とし、もって、対物レンズとの間で衝突することなく、簡単かつ確実に、装置に装填される光ディスクを判別することを可能とする光ディスク判別方法を提供し、更には、かかる方法を利用することにより、各種の光ディスクに対し、夫々に対応した波長のレーザ光により情報の記録／再生を行なうことが可能で小型の光ディスク装置を実現することが可能になるという優れた効果を発揮する。
【発明を実施するための最良の形態】
【００１８】
以下、本発明の実施の形態について、添付の図面を参照しながら詳細に説明する。
【００１９】
まず、図１は、本発明の一実施の形態になる光ディスク装置の全体構成を示す。図において、装置は、スピンドルモータ２を備えており、当該装置により記録／再生される各種の光ディスク１は、その出力軸の先端に取り付けられたターンテーブル２１に装着され、所定の速度で回転駆動される。一方、ピックアップ３は、その詳細構造については後に説明するが、装着された光ディスク１に対して所定の強度のレーザ光を照射し、一方、当該光ディスク１からの反射光を検出して電気信号に変換する。このピックアップ３からの検出信号に基づいて、ＦＥ信号生成部４はフォーカスエラー信号を、ＰＥ信号生成部５は和信号を、ＴＥ信号生成部６はトラッキングエラー信号を、それぞれ、生成する。更に、信号測定部８は、これら各信号のレベルを測定してマイクロコンピュータ（以下、「マイコン」と言う）９に出力する。このマイコン９は、上記信号測定部８からの検出信号のレベル値を、予めメモリ（図示せず）等に記憶しておいた閾値と比較し、以下に詳細に説明するように、装着された光ディスクの種類の判別を行なうと共に、既に知られた方法により、装着された光ディスクの情報記録面に対して、情報を記録又は再生を行なう。また、図中のＩ／Ｆ（インターフェース）部１１は、ユーザによって入力された操作内容をマイコン９に伝達すると共に、上記マイコン９からの情報をその表示部へ出力する。
【００２０】
添付の図２は、上記に全体構成を示した光ディスク装置において、特に、上記ピックアップ３の内部の詳細構造を示す図であり、この図において、ピックアップ３は、当該光ディスク１の表面（図の下面）に対向して配置された、対物レンズ３１、ビームエキスパンダ３２を含む光学系と共に、それぞれ波長の異なるレーザ光を発生する、例えば、レーザダイオードからなるレーザ発生素子３３、３４、３５、更には、例えば、フォトダイオード等により構成される受光素子３６を備えている。なお、この対物レンズ３１は、上述した３波長互換対物レンズであり、複数のレンズから構成されるビームエキスパンダ３２と共に、例えば、電磁力を利用したアクチュエータ３７により、光ディスク１の表面に垂直な方向（図の矢印を参照）に移動可能となっている。また、上記のレーザ発生素子３３、３４、３５は、上記マイコン９からの指令に応答し、それぞれの駆動回路３３１、３４１、３５１によって発光が駆動され、例えば、素子３３はＢＤ用の波長４０５ｎｍのレーザ光を、素子３４は、ＤＶＤ用の波長６５０ｎｍのレーザ光を、素子３５は、ＣＤ用の波長７８０ｎｍのレーザ光を、それぞれ、発生する。また、図中の符号３８は、上記各レーザ発生素子３３〜３５から発生するレーザ光を反射し、上記対物レンズ３１及びビームエキスパンダ３２を介して光ディスク１の表面に照射すると共に、当該光ディスク１の表面からの反射光を通過して受光素子３６へ導くための、所謂、ハーフミラー（又は、偏向ビームスプリッタでもよい）である。なお、上記受光素子３６により検出された反射光は、検出回路３９において検出され、もって、電気信号に変換される。
【００２１】
続いて、本発明になる光ディスク判別方法の原理について説明する。まず、上記の装置に装着され、記録又は再生が行なわれる各種の光ディスク、即ち、次世代ＤＶＤ（例えば、ＢＤ）、ＤＶＤ、ＣＤは、添付の図３（ａ）〜（ｃ）に示すように、それぞれ、レーザ光が照射される円盤状のディスク表面（図の下面）からデータ記録されている情報記録面までの距離ｄが大きく異なる。即ち、ＢＤでは、ｄ＝約０．１ｍｍ（図３（ａ）参照）、ＤＶＤでは、ｄ＝約０．６ｍｍ（図３（ｂ）参照）、そして、ＣＤでは、ｄ＝約１．２ｍｍ（図３（ｃ）参照）となっている。即ち、ＣＤでは、光ディスクの上面に情報記録面が形成されている。
【００２２】
そこで、例えば、上記ＢＤを装置に装填し、当該光ディスクに対し、ピックアップのＢＤ用の青色又は青紫色（波長４０５ｎｍ）のレーザ光を用いてフォーカススイープ動作を実施した場合における、その反射光強度の時間に対する変化を、添付の図４に示す。なお、フォーカススイープ動作とは、上記で説明した３波長互換対物レンズ（図２の符号３１）をその駆動装置（図２のアクチュエータ３７）によってディスク１の表面に対して移動する動作であり、図の下方から上方に向かって、即ち、ディスク表面に対して最も遠い場所からディスク表面に向かって、連続的に、所定の速度で移動する動作である。その結果、上記図４に示すように、光ディスクの表面に照射されたレーザ光は、まず、装填された光ディスクの表面（上記図３（ａ）の最下面）で反射し（第1の反射（ピーク値）：図の時間ｔ１を参照）、その後、所定の時間ＴＢＤを経過した後、データ記録されている情報記録面に至り、そこで反射する（第２の反射（ピーク値）：図の時間ｔ２を参照）。なお、この時、フォーカススイープ動作における上記対物レンズの移動速度Ｖ（ｍｍ／ｓ）から、上記時間ＴＢＤは、ＴＢＤ＝０．１／Ｖとなり、簡単に求められる。
【００２３】
＜処理１＞
即ち、上記からも明らかなように、ＢＤ用の波長４０５ｎｍのレーザ光を用いて上記のフォーカススイープ動作を実施した結果、上記第1の反射と第２の反射との間の時間が略ＴＢＤであれば、装置に装填された光ディスクはＢＤであると判定することが出来る。なお、実際には、実際の光ディスクにおけるディスク表面から情報記録面までの距離の不均一（所謂、バラツキ）を考慮して、上記ＴＢＤよりも長い時間をτＢＤ（＞ＴＢＤ）として、後に説明する判別方法におけるＢＤと判別するためのスライスレベルとして設定する。
【００２４】
従って、本発明では、レーザ光を照射し、当該光ディスクのディスク表面での反射光（第1の反射）を観測した後、情報記録面の反射光（第２の反射）を観測するまでの時間を計測することにより、装填されたディスクの種別を判定することを可能とするものである。
【００２５】
ところで、その際、例えば、上記のように、ＢＤ用の波長４０５ｎｍのレーザ光を用いて判別しようとする場合、一般に、３波長互換対物レンズを搭載した光ディスク装置では、ディスク表面から０．１ｍｍの位置に焦点を結ぶように装置の光学系は設計されている。そのことから、フォーカススイープ動作を実行すると、特に、ＣＤが装填された場合には、その情報記録面で焦点を結ぶ前に、対物レンズがディスク表面に衝突する恐れがある。また、ＣＤ用の７８０ｎｍ波長レーザ光を用いて各種の光ディスクを判別しようとする場合、分解能が低い。そのため、特に、ＢＤでは、その情報記録面での反射（第１の反射）と、表面での反射（第２の反射）とが区別することが出来ずに、一つの反射信号として観測されてしまい、判別が正しく行えない可能性がある。
【００２６】
一般に、レーザ光の種別（波長７８０ｎｍレーザ光、波長６５０ｎｍレーザ光、波長４０５ｎｍレーザ光）とディスクの種別（ＣＤ、ＤＶＤ、ＢＤ）とが、互いに異なる組み合わせで使用された場合には、その情報記録面での反射は保障できない。そのため、場合によっては、殆ど反射光が観察されない場合がある。従って、前述したように（即ち、上記特許文献３に開示された技術）、ＣＤ用の波長７８０ｎｍレーザ光で反射が一つに観測された場合、それをＢＤと判断するものと仮定すると、やはりＣＤ用の波長７８０ｎｍレーザ光に対しても反射率が極めて低いＤＶＤを装填した場合にも、誤ってＢＤと判断することとなり、好ましくない。即ち、情報記録面での反射（第１の反射）と、表面での反射（第２の反射）とが区別できず、一つの反射光しか観測できない場合、これを一律に、ＢＤ又はＤＶＤと判断するのは危険である。
【００２７】
また、３波長互換対物レンズを搭載した光ディスク装置では、例えば、図５（ａ）〜（ｃ）に示すように、ピックアップは、１個の対物レンズ（図２の符号３１）と３個のレーザダイオード（図２の符号３３〜３５）により構成されており、かつ、情報記録面ＲＳに焦点を結んだ状態でのディスク表面ＤＳとピックアップ（特に、最も上方に位置する対物レンズの上面）との間の距離（ＷＤ）は、対応する光ディスクの種別により異なっており、例えば、ＢＤ→ＤＶＤ→ＣＤの順に狭くなっている（ＷＤＢＤ（約０．７ｍｍ）＞ＷＤＤＶＤ（約０．５ｍｍ）＞ＷＤＣＤ（約０．２ｍｍ））。つまり、ピックアップ（特に、その対物レンズ）とディスク表面との衝突の危険度が高くなっていることを意味する。
【００２８】
そこで、本発明においては、上述した発明者等による知見に基づいて達成されたものであり、上述したように、光ディスクのディスク表面ＤＳでの反射光（第1の反射）と情報記録面ＲＳでの反射光（第２の反射）を観測するまでの時間を計測することにより、装填されたディスクの種別を判定すると共に、上記の距離（ＷＤ）が広い順に、媒体の種別を判別して行くことにより、判別時におけるディスク表面でのピックアップの衝突（接触）を確実に回避することを実現するものである（図４を参照）。即ち、本発明においては、３波長互換対物レンズを搭載した光ディスク装置において、ディスク情報記録面ＲＳにレーザ光が合焦した状態で、対物レンズとディスク表面との衝突の危険度が最も小さい、換言すれば、対物レンズとディスク表面間の距離（ＷＤ）が最も大きいＢＤに対するディスク判別を、最初に実施する。このことによれば、衝突の危険度がより大きいＤＶＤやＣＤの判定は行なわれず、対物レンズとディスク表面との衝突を確実に避けることが可能となる。
【００２９】
そして、上記図３（ａ）〜（ｃ）にも示したように、ＢＤであるか否かの判定は、ＢＤのディスク表面と情報記録面の距離が０．１ｍｍと、ＤＶＤの０．６ｍｍ、ＣＤの１．２ｍｍに較べて、遥かに小さいことを利用して、４０５ｎｍレーザ光を発光させながらフォーカススイープ動作を実施し、ＢＤのディスク表面での反射光の出現（第１の反射：時間ｔ１）からその後の情報記録面での反射光の出現（第２の反射：時間ｔ２）までの時間差（ＴＢＤ＝ｔ２−ｔ１）が、所定の設定時間（τＢＤ）内に納まるか否かを検出して判別する。なお、この時、球面収差発生部（ビームエキスパンダ３２）は、ＢＤに対応する位置に設定され、もって、ＢＤの情報記録面からの反射光を精度良く検出できるようにする。また、上記設定時間（τＢＤ：スライスレベル）は、当該時間が経過しても情報記録面からの反射がないことから、ＢＤ以外の媒体であると判定するのに十分な時間であり、かつ、しかしながら、上記フォーカススイープ動作の継続によって対物レンズがＣＤのディスク表面に到達しない程度の時間長に設定される。本実施例では、これらの時間は、例えば、τＢＤを１５〜３０ｍｓ（ＴＢＤ〜２ＴＢＤ）、τＤＶＤを４０〜６０ｍｓ（ＴＤＶＤ〜１．５ＴＤＶＤ）、τＣＤを８０〜１００ｍｓ（ＴＣＤ〜１．２５ＴＤＶＤ）程度に設定している。
【００３０】
上述したように、本発明では、まず、ＢＤに対し、２つの反射光が得られる間の時間Ｔを利用してＢＤと判別＜処理１＞することが出来るが、一方、上記の判定の結果、第１の反射（時間ｔ１）から上記設定時間（τＢＤ：スライスレベル）が経過しても、情報記録面（図４の第２の反射）が観測できない場合について、添付の図６（ａ）及び（ｂ）により説明する。なお、この場合には、３波長互換対物レンズを搭載した光ディスク装置において、ディスク情報記録面にレーザ光が合焦した状態で、対物レンズとディスク表面との衝突の危険度が次に小さい、換言すれば、対物レンズとディスク表面間の距離（ＷＤ）が次に大きいＤＶＤに対するディスク判別を実施する。
【００３１】
添付の図６（ａ）は、上記ＢＤに代えて、ＤＶＤを装置に装填し、最初に、ＢＤ用の波長４０５ｎｍのレーザ光を用いてフォーカススイープ動作を実施した場合における、反射光の時間に対する変化を示したものであり、この場合には、ディスク表面での反射光の出現（第１の反射：時間ｔ１）は観測されるが、その後、所定の設定時間（τＢＤ：スライスレベル）を経過しても、情報記録面での反射光（第２の反射）は観測されない。そこで、この設定時間（τＢＤ）を経過後、情報記録面からの反射光（第２の反射）が出現しない場合は、装填された光ディスクはＢＤではないと判定して、４０５ｎｍレーザ光の発光を止める。
【００３２】
＜処理２＞
次に、装填された光ディスクがＤＶＤディスクであるか否かの判定を実施する。この時、球面収差発生部（ビームエキスパンダ３２）は、ＤＶＤに対応する位置に設定を変更すると共に、上記３波長互換対物レンズ位置を、再び、光ディスク表面の外側に戻す。このことにより、発光開始時における、６５０ｎｍレーザ光の瞬間の発光による誤記録を防止する。その後、ＢＤと同様に、ディスクの判別を行う。即ち、図５（ｂ）に示すように、ＤＶＤ用の波長６５０ｎｍのレーザ光を用いて、装置に装填された光ディスクに対して、上記と同様に、フォーカススイープ動作を実施し、光ディスクの表面での反射（第1の反射：図の時間ｔ３を参照）、そして、所定の時間ＴＤＶＤを経過した後の情報記録面での反射（第２の反射：図の時間ｔ４を参照）を検出する。なお、上記の時間ＴＤＶＤは、同様に、フォーカススイープ動作における上記対物レンズの移動速度Ｖ（ｍｍ／ｓ）から、ＴＤＶＤ＝０．６／Ｖとして簡単に求められる。
【００３３】
図６（ｂ）に示すように、ＤＶＤ用の６５０ｎｍレーザ光を用いて、光ディスクの表面での反射（第1の反射：図の時間ｔ３）と情報記録面での反射（第２の反射：図の時間ｔ４）を検出した後、その時間差、Ｔ（＝ｔ４−ｔ３）が、所定の設定時間（τＤＶＤ）内に納まるか否かを検出して判別する。なお、この時、球面収差発生部（ビームエキスパンダ）は、ＤＶＤに対応する位置に設定され、もって、ＤＶＤの情報記録面からの反射光を精度良く検出できるようにする。また、上記設定時間（τＤＶＤ：スライスレベル）も、当該時間が経過しても情報記録面からの反射がないことから、ＤＶＤ以外の媒体であると判定するのに十分な時間であり、しかしながら、上記フォーカススイープ動作の継続によって対物レンズがＣＤのディスク表面に到達しない時間長に設定される。
【００３４】
上述したように、本発明では、まず、装置に装填された光ディスクがＢＤでないと判定された場合、次に、ＤＶＤ用のレーザ光を照射し、当該ディスクから得られる２つの反射光の間における時間Ｔを利用することにより、確実に、ＤＶＤと判別することが出来る。
【００３５】
＜処理３＞
他方、上記の判定の結果、なお、第１の反射（時間ｔ３）から上記設定時間（τＤＶＤ：スライスレベル）が経過しても、情報記録面（第２の反射）が観測できない場合には、これをＣＤであると判定することも可能である。又は、やはり、上記と同様、更に、ＣＤ用の波長７８０ｎｍのレーザ光を用いて、装置に装填された光ディスクに対してフォーカススイープ動作を実施し、光ディスクの表面での反射（第1の反射）、そして、所定の設定時間（例えば、ＴＣＤ＝τＣＤ）を経過した後の情報記録面での反射（第２の反射）を検出することにより、装填された光ディスクがＣＤであることを判定してもよい。なお、この場合、上記の設定時間ＴＣＤは、同様に、フォーカススイープ動作における上記対物レンズの移動速度Ｖ（ｍｍ／ｓ）から、ＴＣＤ＝１．２／Ｖとして簡単に求められる。
【００３６】
続いて、上記にその原理を説明した本発明になる光ディスク判別方法（判定処理）の一例を、添付の図７のフローチャート図により、具体的に示す。なお、この光ディスク判別方法は、上記１図にその構造を示した光ディスク装置において実行されるものであり、より具体的には、メモリ内部にソフトウェアとして格納されており、当該光ディスク装置の起動時や、装置への光ディスク装填を検出した際に、自動的に、制御装置であるマイコン（ＣＰＵ）９により実行されるものである。
【００３７】
即ち、図７からも明らかなように、判定処理が開始すると、まず、上記した処理１を実行する。具体的には、光ディスク装置の３種類のレーザ光源（上記の図？？を参照）から、最初に、ＢＤ用の波長４０５ｎｍのレーザダイオードを点灯する（ステップＳ１１）。そして、球面収差発生部（ビームエキスパンダ）をＢＤに対応する位置に設定し（ステップＳ１２）、フォーカススイープ処理（動作）を実行する（ステップＳ１３）。その後、例えば、上記した設定時間（τＢＤ）が経過した後、上述した原理により、装填された光ディスクがＢＤであるか否かを判定し（ステップＳ１４）、その結果、ＢＤである（図の「Ｙ」）と判定した場合は、例えば、その結果を表示してＢＤ判別を終了し、一方、ＢＤでない（図の「Ｎ」）と判定した場合には、上記の処理２を実行する。
【００３８】
この処理２では、上述したように、ＢＤ用の４０５ｎｍレーザ光の発光を止め、代わって、ＤＶＤ用の６５０ｎｍのレーザ光を発光するレーザダイオードを点灯する（ステップＳ２１）。なお、この時、上記３波長互換対物レンズ位置を、再び、光ディスク表面の外側に戻す。その後、球面収差発生部（ビームエキスパンダ）をＤＶＤに対応する位置に設定し（ステップＳ２２）、フォーカススイープ処理（動作）を実行する（ステップＳ２３）。そして、上記した設定時間（τＤＶＤ）が経過した後、上述した原理により、装填された光ディスクがＤＶＤであるか否かを判定し（ステップＳ２４）、その結果、ＤＶＤである（図の「Ｙ」）と判定した場合は、その結果を表示してＤＶＤ判別を終了し、一方、ＤＶＤでない（図の「Ｎ」）と判定した場合には、更に、以下の処理３を実行する。
【００３９】
この処理３でも、上記と同様に、ＤＶＤ用の６５０ｎｍレーザ光の発光を止め、代わって、ＣＤ用の７８０ｎｍのレーザ光を発光するレーザダイオードを点灯する（ステップＳ３１）。なお、この時、上記３波長互換対物レンズ位置を、再び、光ディスク表面の外側に戻すことも上記と同様である。その後、球面収差発生部（ビームエキスパンダ）をＣＤに対応する位置に設定し（ステップＳ３２）、フォーカススイープ処理（動作）を実行する（ステップＳ３３）。そして、上記した設定時間（τＣＤ）が経過した後、上述した原理により、装填された光ディスクがＣＤであるか否かを判定し（ステップＳ３４）、その結果、ＣＤである（図の「Ｙ」）と判定した場合は、その結果を表示してＣＤ判別を終了し、一方、ＣＤでない（図の「Ｎ」）と判定した場合には、装置に装填されたディスクは無しと判定し（ステップＳ３５）、その結果を表示して一連の処理を終了する。
【００４０】
以上に述べたように、本発明になる判定方法（処理）によれば、装置に装填された光ディスクを、焦点位置におけるピックアップとディスク表面との間の距離が長いものから、順次、判別することにより、ピックアップが光ディスクへ衝突することを防止し、もって、簡単かつ安定にディスク判別を行うことが可能となる。
【００４１】
なお、上記の実施の形態においては、その種類を判別する対象として、ＢＤを含む次世代ＤＶＤ、ＤＶＤ、そして、ＣＤと呼ばれる各種の光ディスクについて述べたが、しかしながら、上記本発明になる判定方法（処理）は、更に、その他の種類の光ディスクについても適用することも可能である。例えば、ＤＶＤとＣＤとのハイブリッドディスクである、スーパーオーディオＣＤと呼ばれるハイブリッドディスク（ＤＶＤ／ＣＤ）、更には、ＢＤとＤＶＤとのハイブリッドディスク（ＢＤ／ＤＶＤ）についても、上記の判定方法（処理）を利用することが出来る。
【００４２】
上記ハイブリッドディスクが装填された場合の判定方法（処理）の一例を、添付の図８に示す。図にも示すように、判別処理を開始すると、上記処理１、上記処理２、上記処理３、を順次実施し（ステップＳ５１、Ｓ５２、Ｓ５３）、その後、各処理での判定結果に基づいて、装填された光ディスクが無いか否かを判定する（ステップＳ５４）。その結果、装填された光ディスクが無い（図の「Ｙ」）と判定された場合には、光ディスクが装着されていないことを表示して（ステップＳ５４）、処理を終了する。
【００４３】
一方、上記ステップＳ５４の判定の結果、光ディスクが装填されている（図の「Ｎ」）場合には、上記で検出したディスクを表示する（ステップＳ５６）。例えば、上記の処理１〜処理３の結果、ＤＶＤであることと共に、ＣＤであることが検出された場合には、ＤＶＤとＣＤとのハイブリッドディスク（スーパーオーディオＣＤ）であることを表示する。又は、ＢＤとＤＶＤとが検出された場合には、ＢＤとＤＶＤハイブリッドディスク（ＢＤ／ＤＶＤ）であることを表示する。その後、ユーザが所望するディスクの種類（例えば、上記図１のＩ／Ｆ部１１から入力する）に対応して、装置の設定を実行する（ステップＳ５７）。
【００４４】
以上に詳述したように、本発明によれば、波長の異なる少なくとも３種類のレーザ光により各種の光ディスクに対応可能であって、３波長互換対物レンズを用いた光ディスク装置において、装置に装着されたディスクの種類を確実かつ簡単に判別することを可能とすると共に、その際、対物レンズが光ディスクに衝突することを、確実に、回避することを可能とする。
【図面の簡単な説明】
【００４５】
【図１】本発明の一実施の形態になる光ディスク装置の全体構成を示すブロック図である。
【図２】上記光ディスク装置において、特に、ピックアップの内部の詳細構造を示す図である。
【図３】上記光ディスク装置により記録又は再生が行なわれる各種の光ディスクの構造を示す一部拡大断面図である。
【図４】本発明になる光ディスク判別方法の原理を説明するため、上記装置にＢＤを装填し、ＢＤ用のレーザ光を用いてフォーカススイープした場合における反射光強度の時間に対する変化を示す図である。
【図５】情報記録面に対してレーザ光を合焦した状態における、各種光ディスクのディスク表面ＤＳと対物レンズ面との間の距離を説明する図である。
【図６】上記装置にＤＶＤを装填し、ＢＤ用レーザ光を用いてフォーカススイープした場合及びＤＶＤ用のレーザ光を用いてフォーカススイープした場合における反射光強度の時間に対する変化を示す図である。
【図７】上記に原理を説明した本発明になる光ディスク判別方法（判定処理）の一例を示すフローチャート図である。
【図８】上記光ディスク判別方法（判定処理）を、更に、他のハイブリッド構造の光ディスクに利用した場合の一例を示すフローチャート図である。
【符号の説明】
【００４６】
１…光ディスク
２…スピンドルモータ
３…ピックアップ
９…マイコン
１１…Ｉ／Ｆ部
３１…３波長互換対物レンズ
３２…ビームエキスパンダ
３３〜３５…レーザ発生素子
３６…受光素子
３９…検出回路
ＲＳ…情報記録面
ＤＳ…ディスク表面。
【図１】
2007095130.tif 000003
【図２】
2007095130.tif 000004
【図３】
2007095130.tif 000005
【図４】
2007095130.tif 000006
【図５】
2007095130.tif 000007
【図６】
2007095130.tif 000008
【図７】
2007095130.tif 000009
【図８】
2007095130.tif 000010
【手続補正書】
【提出日】平成18年7月3日(2006.7.3)
【手続補正１】
【補正対象書類名】図面
【補正対象項目名】全図
【補正方法】変更
【補正の内容】
【図１】
2007095130.tif 000011
【図２】
2007095130.tif 000012
【図３】
2007095130.tif 000013
【図４】
2007095130.tif 000014
【図５】
2007095130.tif 000015
【図６】
2007095130.tif 000016
【図７】
2007095130.tif 000017
【図８】
2007095130.tif 000018